(57)【要約】  本発明は、枠（１１）と、枠に接続されており、内側の収容容積を少なくとも部分的に区分する少なくとも１個のシェル（２、１０）とを有し、シェルは、交換可能な態様で枠に接続されていることを特徴とする、物体、衣服、アクセサリ、本を搬送する容器（１）に関する。【選択図】図３
2018537189.tif 000002
【特許請求の範囲】
【請求項１】
物体、衣類、アクセサリ、本を搬送する容器（１）であって、
枠（１１）と、
枠に接続されており、内側の収容容積を少なくとも部分的に区分する少なくとも１個のシェル（２、１０）と、
を有し、
前記シェルは、交換可能な態様で枠に接続されていることを特徴とする、
容器（１）。
【請求項２】
前記シェルを前記枠に交換可能な態様で接続するために、締結接続手段を有している、請求項１に記載の容器（１）。
【請求項３】
前記締結接続手段は、受け入れ孔を備えているシェルの付属部分（２’）と、前記孔の内側に挿入可能となるように枠（１１）に属しているピボット（２”）とを有している、請求項２に記載の容器（１）。
【請求項４】
前記付属部分（２’）は、しなやかで、スプリングバックを有するような態様である、請求項３に記載の容器（１）。
【請求項５】
前記付属部分（２’）は、シェルの基部に配置されている、請求項２から４のいずれか１項に記載の容器（１）。
【請求項６】
前記枠は、概ね環状に形作られており、付属部分がピボット（２”）の近傍になるまでシェルが摺動可能なようにするシェル用の摺動ガイドを構成している、請求項２から５のいずれか１項に記載の容器（１）。
【請求項７】
前記締結接続手段は、シェル（１０１）に属している受け入れ孔（１０６）の内部に自体を挿入する少なくとも歯（１０５）を有している、請求項２に記載の容器（１）。
【請求項８】
枠は、概ね環状に形作られており、前記シェルは、歯が歯自体を受け入れ孔内に挿入するまで自体を押すことによって、自体を前記環状要素内部に挿入する、請求項７に記載の容器（１）。
【請求項９】
前記歯（１０５）は、直動可能な態様で組み立てられており、矢の形態に形作られていることが好ましい、請求項７または８に記載の容器（１）。
【請求項１０】
前記容器は、
スーツケース、
バックパック
から選択可能である、請求項１から９のいずれか１項に記載の容器（１）。
【請求項１１】
スーツケースの場合、引き出し可能／格納可能なアーム（４）が設けられており、スーツケースの一方の側に沿って枠に対して摺動するように位置し、格納位置にあるときには、前記枠の内部に摺動して隠れるようになるように配置される、請求項１から１０のいずれか１項に記載の容器（１）。
【請求項１２】
前記アームは、アーム（４）の端部の位置の点でヒンジ接続されているハンドル（９）を備えている、請求項１１に記載の容器（１）。
【請求項１３】
スーツケースは、本のように開閉する態様で、スーツケースの基部で互いにヒンジ結合されている２個の半分から構成されている、請求項１０から１２のいずれか１項に記載の容器（１）。
【請求項１４】
シェルは、硬質または半硬質の材料から作られている、請求項１から１３のいずれか１項に記載の容器（１）。
【請求項１５】
シェルはプラスチック、炭素繊維、ＰＶＣ、ポリプロピレン、ＡＢＳ、ポリカーボネート、ゴムで作られている、請求項１から１４のいずれか１項に記載の容器（１）。
【請求項１６】
シェルは、型材料内で鋳造によって作られる、請求項１から１５のいずれか１項に記載の容器（１）。
【請求項１７】
スーツケースの場合、２個の取り外し可能な対称なシェルが設けられる、請求項１から１６のいずれか１項に記載の容器（１）。
【発明の詳細な説明】
【技術分野】
【０００１】
本発明は、任意の形態または大きさの旅行用スーツケースまたはバックパックなどの容器の技術分野に一般に関する。
【０００２】
特に、本発明は、より長持ちし、必要に応じて色及び／または装飾を修正できるように構成されている容器に関する。
【背景技術】
【０００３】
旅行用スーツケースが古くから知られており、大きさは様々である。
【０００４】
いわゆるトロリースーツケースには、簡単に運べるようにキャスターが備わっており、大きさが制限されている。それらの大きさは様々であって、通常、空港の規制に従っている。そのようなスーツケースには、手荷物として機内持ち込みができるように小さいものもあれば、より大きいものもある。
【０００５】
スーツケースは、硬質のものと非硬質のものとに分けられる。硬質のスーツケースは、本のように開いて再び閉じることが可能で、プラスチック、炭素繊維、または同様な材料で作ることができる硬質の材料で構成されている外部のシェルによって構成されている。
【０００６】
硬質のスーツケースの利点は、ケース内の中身を、それに衝撃や重量が作用した場合により良く保護することができることであり、それは、スーツケースが、たとえ他のスーツケースの重さによって押されたときでも、基本的にその元の形態を維持するからである。
【０００７】
そのようなスーツケースは商業的により普及していることが多いのが常である。
【０００８】
他の型式のスーツケースは、通常の織物で作られていてもよいが、上方から重量が作用した場合に変形することが多い。
【０００９】
硬質のスーツケースに関する技術的な問題は、強力な衝撃や重さを受けると、織物のスーツケースよりももろいことが証明されていることである。旅行中、たとえば、航空機の胴体内にスーツケースが押し込まれるときに、スーツケースは、ほとんど注意を払われずに詰め込まれたり投げられたりすることが多いことは明らかである。その結果、到着時に、損傷していたり、ひっかき傷がついていたり、壊れていたりすることさえあるスーツケースを受け取ることになる。
【００１０】
この種類の問題に対して、様々な解決策が提案されている。
【００１１】
解決策が特許文献１に記載されており、外部の織物の張り生地が設けられている。
【００１２】
この種類の解決策は、ひっかき傷から保護する機能を果たすことは証明されているものの、許容可能な保護を保証できないので、衝撃の場合には効果が低くなる。
【００１３】
実際に、織物は、衝撃、自から切れること、衝突に対するどのような種類の保護も保証不能で、ひっかき傷に対する保護だけを保証する。
【先行技術文献】
【特許文献】
【００１４】
【特許文献１】英国特許第２２５３３７８１号明細書
【発明の概要】
【発明が解決しようとする課題】
【００１５】
そのため、本発明の目的は、技術的な不便を解決する、物体、衣類、アクセサリ、書籍を運搬するための容器を提供することである。
【００１６】
特に、衝撃及びひっかき傷に効果的に耐えるようになり、好みや必要に応じて交換可能でもある、一般に物体の運搬のための容器を提供することが本発明の目的である。
【課題を解決するための手段】
【００１７】
これらの、そして他の目的は、したがって、枠２、１０、１０２と、枠に接続されており、内側の収容容積を少なくとも部分的に区分し、硬質または半硬質の材料から作られている、少なくとも１個のシェル２、１０と、を有する、物体、衣類、アクセサリ、本を搬送する本容器１によって得られる。
【００１８】
本発明によれば、シェルは、交換可能な態様で枠に接続されている。
【００１９】
したがって、硬質の容器は、胴体全体を構成する硬質または半硬質の材料で作られている１個または２個以上のシェルで構成されている。
【００２０】
本発明によれば、そのような胴体（１個または２個以上）を構成しているシェルを、そのような種類の枠と明らかに互換性のある新しいシェルを接続できるように枠から取り外すことができる。
【００２１】
このように、すべての前述の技術的な不便さが容易に解決される。
【００２２】
特に、たとえば、容器が衝撃を受けてシェルが壊れた場合、素早くシェルを交換して、スーツケースなどの容器を、新品の状態に戻すことができる。
【００２３】
さらに、このようにして、必要に応じて、実用的にそして素早く、デザインを変更することができる。
【００２４】
たとえば、スーツケースの場合、スーツケースだけを買うだけでなく、色、材料、デザインも異なる互換性のあるシェル一式も買うことができる。個人の好みに従って、スーツケースの全体の態様を修正することによって、シェルを再三再四変化させることができる。
【００２５】
例えば、色が異なるまたはデザインが異なる２個のシェルをスーツケースに取り付け、そのときの好みや希望に従って、スーツケースを創造的にすることができる。
【００２６】
さらに、本発明による本容器の特徴と利点は、添付の図面を参照したいくつかの実施形態に従った説明によってより明らかになるが、それに限定されない。
【図面の簡単な説明】
【００２７】
【図１】図１は、元のシェル２をいったん取り外し、半分のシェル１０が移動可能な態様で取り付けられているスーツケースを模式的に示している。
【図２】図２は、本発明のスーツケースを側面図に示している。
【図３】図３は、本発明によるスーツケースの分解図描画を示している。
【図４】図４は、開いている構成のスーツケースの軸測投影図を示している。
【図５】図５は、閉じている構成のスーツケースの軸測投影図を示している。
【図６】図６は、シェルを挿入する段階の例を示している。
【図７】図７は、シェルを挿入する段階の例を示している。
【図８】図８は、シェルを挿入する段階の例を示している。
【図９】図９の断面は、シェルを固定するようにフラップをピボットに結合する段階を示している。
【図１０】図１０の断面は、シェルを固定するようにフラップをピボットに結合する段階を示している。
【図１１】図１１は、完了した結合を示している。
【図１２】図１２は、スーツケースを牽引するのに使用される伸縮自在のアームを示しているスーツケースの軸測投影図である。
【図１３】図１３は、伸縮自在のアームに取り付けられているハンドルを示している。
【図１４】図１４は、伸縮自在のアームに取り付けられているハンドルを示している。
【図１５】図１５は、伸縮自在のアームに取り付けられているハンドルを示している。
【図１６】図１６は、スーツケースの枠に取り付けられている伸縮自在のアームを示している。
【図１６Ａ】図１６Ａは、スーツケースの枠に取り付けられている伸縮自在のアームを示している。
【図１７】図１７は、異なるシェルが取り付けられている同じ旅行鞄を示している。
【図１８】図１８は、ショルダーバックパックに関する解決策の軸測投影図を示している。
【図１９】図１９は、スーツケースにも使用できるバックパックのシェル用の締結結合の解決策を示している。
【図２０】図２０は、スーツケースにも使用できるバックパックのシェル用の締結結合の解決策を示している。
【図２１】図２１は、スーツケースにも使用できるバックパックのシェル用の締結結合の解決策を示している。
【発明を実施するための形態】
【００２８】
図１は、本発明の硬質のスーツケースの軸測投影図を示している。
【００２９】
それ自体が背景技術において非常によく知られており、それによってスーツケースを容易に牽引できる引き出し可能／格納可能なハンドルを有することができる。
【００３０】
さらに、ハンドルによってユーザが容易に牽引できるような態様で、スーツケースに車輪３を容易に設けることができる。
【００３１】
車輪３はそれ自体、背景技術において非常によく知られており、本発明の特定の目的ではないことは明らかである。
【００３２】
本発明の説明をさらに進めると、全体（一般的に２個のシェル）がスーツケースの胴体を構成し、スーツケース自体の収容容量を定めている外部シェルを取り付けることができる枠がスーツケースには設けられている。
【００３３】
例えば、図１は、移動可能で新しいシェル１０に交換可能なシェル２を概ね示している。これは、反対側のシェルにも当てはまることは明らかである。
【００３４】
図２は、スーツケースの側面図を示しており、枠１１の構造をよりよく示しており、左と右のシェル２は、交換可能な態様で接続されている。
【００３５】
両方のシェルは、必要に応じて、取り外して、異なる色または材料及び異なる形状の他の互換性のあるシェルと交換することができる。
【００３６】
背景技術によれば、枠は、車輪、ハンドルを固定し、２個の半分に開くことが可能なスーツケース自体を閉じるための全体の支持のために必要であって、この場合の移動可能な、または実際にどのような交換可能な締結においても、胴体の固定を支持するために必要なことは明らかである。
【００３７】
このように、例えば、シェル２（一方だけ、または両方）が損傷した場合、それを交換して、スーツケースを実質的に新品にして、機能するようにすることができる。
【００３８】
また、色／材料、または形態すら異なるシェルを選択することによってスーツケースのデザインを容易に変更して、スーツケースを常に新品にすることができる。
【００３９】
図３の分解図描画は、そのような解決策を構造的に詳細に示している。
【００４０】
参照番号３０及び３０’は、ユーザがスーツケースを２個の異なる方法で持ち上げることができるようにするために、スーツケースの２個の側部に固定されている２つの共通のハンドルを示している。
【００４１】
ハンドルは、例えば、図３の部品７にように回転するように取り付けられている固定胴体に対して回転可能である。
【００４２】
そのようなハンドルは、背景技術においてそれ自体が周知であって、さらに検討はしない。
【００４３】
図３を常に参照して本発明の構造の説明をさらに進めると、シェル２が枠から取り外されていることが明確に示されている。そのようなシェルは、反対側のシェルと同様に、枠から取り外して、再度取り付けたり、他の同等なシェルに交換したりできるように枠に接続されている。
【００４４】
そのため、本発明によれば、従来のスーツケースの枠に接続される２個の従来のシェルが、ここでは、完全に取り外して同等のシェルに交換可能になっている。
【００４５】
枠は、旅行鞄の外側の形態に沿っていることが明らかで、ほぼ背景技術のようにシェルが取り付けられる正方形の枠組み１１で構成されているが、シェルとの移動可能な結合ができるようにしている特徴を有している。
【００４６】
特に、枠は、２個の好ましくは対称の結合部分１１’、１１”に分割される。枠の各部分は、シェルが固定されるような枠組み１１’、１１”を構成している。本発明の枠組みは、シェルの縁を上から下に移動させる側部ガイドを構成している。
【００４７】
図６から図１１の行程は、そのような解決策を構造的に、そして機能的に非常によく示している。
【００４８】
特に、図６に示しているように、シェルは、柔軟な材料の（たとえば、シェルと同じ材料でもよいが、柔軟でスプリングバックを有するようになる厚さを備えている）付属部分、例えば、フラップ２’をその基部に有している。
【００４９】
枠１１によって構成されているガイドに対してシェルが挿入され摺動する一方で、付属部分は、枠と一体のピボット２”を乗り越え、付属部分に設けられている受け入れ孔に挿入可能になる。
【００５０】
図７及び図８は、挿入段階を軸測投影図に示している。
【００５１】
図９及び図１０の断面は、そのような挿入段階を示しており、フラップに設けられている孔がピボットを内側に挿入するように、フラップはピボットを乗り越えている（図１０を参照）。
【００５２】
取り外しのために、ユーザは、ピボットを孔から外してシェルの取り外しに進むように、曲げることによって、フラップを手動で操作することができる。
【００５３】
そのような解決策は、両方のシェルに対して枠の２個の半分上で使用される。
【００５４】
シェルの他のロックシステムを使用してもよいことは明らかである。
【００５５】
たとえば、付属部分を機械的な干渉によって座部内でロックしてもよい。
【００５６】
付属部分／ピボットの解決策は、ユーザがフラップを意図的に操作する場合にだけ取り外されるシェルの完璧な保持を保証することが明らかである。そのため、偶然に外れる危険性はなく、そのような解決策は容易に実現できるようになる。
【００５７】
図３にもよく示されているように、部品６は、枠１１’、１１’の２個の対称な半分を回転可能に互いに接続しているヒンジを示している。
【００５８】
このように、図４にも示しているように、旅行鞄の２個の半分が本のように開かれ、それから再び閉じることができるように、一方を他方に対して開くことができるようになる。
【００５９】
背景技術とは反対に、ヒンジは、スーツケースの側部ではなくその基部、車輪が配置されているちょうどその位置に存在し、開き方は図４に示されているようであり、開いている位置で車輪の対の一方が他方に向かっている。
【００６０】
そのため、そのような開き方は、一般的な解決策の代替である。
【００６１】
横に並んでいる少なくとも２個のヒンジ６が設けられるのが好ましい。
【００６２】
本発明の構造の説明をさらに進め、図３も参照すると、部品９は、引き出し可能／格納可能なアーム４（つまり伸縮自在アーム）に接続されている牽引ハンドルを示している。
【００６３】
たとえば図１に示しているアームのような、引き出し可能／格納可能なアームは、背景技術のように使用可能であるが、背景技術とは反対のアーム４は、側部に配置され、枠１１の側部に沿って得られている座部に沿って移動する。
【００６４】
図１２は、引き出されており、枠の外周によって得られるある種の軌道に対して摺動して移動する構成のアームを示している。
【００６５】
枠の２個の半分１１’、１１’は、それらの周囲に沿った摺動ダクトを構成しており、図５に示しているように、ハンドル９は、完全に格納されたときには、胴体と実質的な同じ高さに移動して枠のそのような２個の半分によって区画されている領域内にあって、見えない。このように、ハンドル９とハンドルが接続されているアーム自体が、何の支障もなく枠自体の内側に事実上隠れるので、邪魔を際だって減らすことができる。
【００６６】
図１６は、伸縮自在のアームの枠の一方の半分に対する格納と、その結果としての引き出し位置と格納位置との間の摺動をよく示している。図１６Ａは、参照番号４０を付して摺動軌道を示している。
【００６７】
背景技術による周知のロックを、アームの引き出しストロークを制限するのに使用することができるのは明らかである。
【００６８】
図１３から図１５の行程に示しているように、ハンドル９は、使用者の都合のよい位置で必要に応じて回転できるように一点でヒンジ接続することが可能である。ハンドル９は、Ｌ形状であることが有利である。
【００６９】
図１７は、本発明によって、旅行鞄上で外部シェルが様々なモデルに交換されている説明のための例である。
【００７０】
この例の場合、従来の型の引き出し可能なハンドルを備えているスーツケースを明確化のためだけに、そして非限定的に示している。
【００７１】
前述の説明は、各容器に対して当てはまり、実際に同じ解決策はバックパックにも有効である。
【００７２】
より詳細には、図１８は、本発明のバックパックの分解図描画を示している。
【００７３】
そのようなバックパックは、スーツケースのように、バックパックの輪郭の形状に沿った同様な環状要素の形態の枠１０２を有している。
【００７４】
そのような環状の要素は、スーツケースの解決策のように、バックパックの硬質または半硬質のシェルを取り外し可能に保持しロックするのに必要である。
【００７５】
この目的のために、図１８は、参照番号１０１を付して、全長にわたってシェルの境界が環状の枠に接触するまで、自体を環状の枠の内部に挿入するシェルを示している。スーツケースの解決策とは反対に、この場合、シェルを枠に対して摺動させるのではなく、枠に固定されている移動ピボット１０５がシェルの受け入れ孔１０６の内部に挿入可能になるようにシェルを押すことによって挿入は発生する。
【００７６】
そのような解決策は、図１９から図２１の拡大図により詳細に説明されている。
【００７７】
図１９は、枠を構成している環状要素にシェルを結合しなければならない時のピボット１０５を示している。図２０は、発生した結合を示している。ピボットは、３角形つまり矢の形態に形作られており、ピボットが完全に挿入されながら一度反発して反対側に移動して自体をロックするまで、シェルが移動してピボットが孔の内部に挿入されている時に、その横断方向の直動を可能にする傾斜した側部を有している。実際に、そのようなピボットを、右側いっぱいに直動している図１９の位置に保持するばねが備わっている。傾斜している側部のおかげで、孔１０６の内側へ徐々に挿入されながら、ピボットは左に直動し、孔をいったん横切ると、ばね（または一般的な他の弾性要素）の作動のおかげで図１９の位置に戻り、自体をしっかりとロックする。
【００７８】
ユーザは、シェルを取り外すために手動で、したがって、ばね（または一般的な弾性要素）の力にうち勝って、ピボットを左に移動させなければならない。
【００７９】
図２１は、２個の対称なピボット及び２個の受け入れ孔を備えている解決策を示している。
【００８０】
要求があれば、そのような解決策は、スーツケース、好ましくは小さいサイズのスーツケースにも適合可能である。
【００８１】
スーツケースおよびバックパックの両方、または他の一般的な容器の構成において、シェルまたは半分のシェルは、プラスチック、炭素繊維、ＰＶＣ、ポリプロピレン、ＡＢＳ、ポリカーボネート、および同様な材料などの硬質の材料で作られており、型の中で鋳造または形作られることが好ましい。
【００８２】
さらに、シェルのそのようなサイズは、全体の収容容積のほぼ対称な半分を一般に区分する（たとえば、スーツケースの２個のシェルまたはバックパックのシェルのように）。
【００８３】
さらに、そのようなシェルは、ゴムなどの半硬質の材料でも実現されるかもしれない。その結果、高い柔軟性と衝撃吸収性の両方を有することになろう。
【００８４】
その代わりに、織物は除外されるが、それは衝撃から保護できないからである。
【００８５】
本発明において、硬質または半硬質の材料は、スーツケースを覆うことになり、そのため旅行鞄の半分（または旅行鞄全体）の形状を維持する半分のスーツケース（または旅行鞄全体）の形状及びスーツケースに取り付けらない覆いの形状が得られるように、たとえば、金型における成形材料を有している。
【００８６】
その意味で、織物は、硬質または半硬質の材料とは考えられない。
【００８７】
しかし、旅行鞄の構成をさらに変えるために、前述の硬質または半硬質の材料の、しかし、デニムの織物などの織物で外部が覆われているシェルを設けることができる。そのような解決策は、すべての前述の構成に有効である。
【００８８】
半分のシェルに結合可能な態様で配置されているスーツケース販売及び、必要に応じて交換するために、そのようなスーツケース用の１個または２個以上の取り換え可能な半分のシェルの別個の販売を決定することができるのは明らかである。
【００８９】
前述の記述全体は、物体、衣類、アクセサリ、本を搬送するための任意の個人用容器に有効である。
【００９０】
そのため、その意味で、本発明は、単なるスーツケース（トロリースーツケースを含むあらゆる種類のスーツケースを意味する）だけではなく、バッグ、バックパック、ポーチ、および個人が使用し、ユーザが運搬する容器にも限定されていない。
【図１】
2018537189.tif 000003
【図２】
2018537189.tif 000004
【図３】
2018537189.tif 000005
【図４】
2018537189.tif 000006
【図５】
2018537189.tif 000007
【図６】
2018537189.tif 000008
【図７】
2018537189.tif 000009
【図８】
2018537189.tif 000010
【図９】
2018537189.tif 000011
【図１０】
2018537189.tif 000012
【図１１】
2018537189.tif 000013
【図１２】
2018537189.tif 000014
【図１３】
2018537189.tif 000015
【図１４】
2018537189.tif 000016
【図１５】
2018537189.tif 000017
【図１６】
2018537189.tif 000018
【図１６Ａ】
2018537189.tif 000019
【図１７】
2018537189.tif 000020
【図１８】
2018537189.tif 000021
【図１９】
2018537189.tif 000022
【図２０】
2018537189.tif 000023
【図２１】
2018537189.tif 000024
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
物体、衣服、アクセサリ、本を搬送する容器（１）であって、
枠（１１）と、
枠に接続されており、内側の収容容積を少なくとも部分的に区分し、硬質または半硬質の材料から作られている、少なくとも１個のシェル（２、１０）と、
を有し、
前記シェルは、交換可能な態様で枠に接続されていることを特徴とする、
容器（１）。
【請求項２】
前記シェルを前記枠に交換可能な態様で接続するために、締結接続手段を有している、請求項１に記載の容器（１）。
【請求項３】
前記締結接続手段は、受け入れ孔を備えているシェルの付属部分（２’）と、前記孔の内側に挿入可能となるように枠（１１）に属しているピボット（２”）とを有している、請求項２に記載の容器（１）。
【請求項４】
前記付属部分（２’）は、しなやかで、スプリングバックを有するような態様である、請求項３に記載の容器（１）。
【請求項５】
前記付属部分（２’）は、シェルの基部に配置されている、請求項２から４のいずれか１項に記載の容器（１）。
【請求項６】
前記枠は、概ね環状に形作られており、付属部分がピボット（２”）の近傍になるまでシェルが摺動可能なようにするシェル用の摺動ガイドを構成している、請求項２から５のいずれか１項に記載の容器（１）。
【請求項７】
前記締結接続手段は、シェル（１０１）に属している受け入れ孔（１０６）の内部に自体を挿入する少なくとも歯（１０５）を有している、請求項２に記載の容器（１）。
【請求項８】
枠は、概ね環状に形作られており、前記シェルは、歯が歯自体を受け入れ孔内に挿入するまで自体を押すことによって、自体を前記環状要素内部に挿入する、請求項７に記載の容器（１）。
【請求項９】
前記歯（１０５）は、直動可能な態様で組み立てられており、矢の形態に形作られていることが好ましい、請求項７または８に記載の容器（１）。
【請求項１０】
前記容器は、
スーツケース、
バックパック
から選択可能である、請求項１から９のいずれか１項に記載の容器（１）。
【請求項１１】
スーツケースの場合、引き出し可能／格納可能なアーム（４）が設けられており、スーツケースの一方の側に沿って枠に対して摺動するように位置し、格納位置にあるときには、前記枠の内部に摺動して隠れるようになるように配置される、請求項１から１０のいずれか１項に記載の容器（１）。
【請求項１２】
前記アームは、アーム（４）の端部の位置の点でヒンジ接続されているハンドル（９）を備えている、請求項１１に記載の容器（１）。
【請求項１３】
スーツケースは、本のように開閉する態様で、スーツケースの基部で互いにヒンジ結合されている２個の半分から構成されている、請求項１０から１２のいずれか１項に記載の容器（１）。
【請求項１４】
シェルは、型材料内で鋳造によって作られる、請求項１から１３のいずれか１項に記載の容器（１）。
【請求項１５】
スーツケースの場合、２個の取り外し可能な対称なシェルが設けられる、請求項１から１４のいずれか１項に記載の容器（１）。
【国際調査報告】
2018537189.tif 000025
2018537189.tif 000026
2018537189.tif 000027